(57)【特許請求の範囲】
【請求項１】
吸気口と排気口を有する本体ケースと、吸気口と排気口を連通する加湿風路と、前記本体ケース内の前記加湿風路に設けた送風機と、前記加湿風路に設けた加湿容器と、この加湿容器内に注入される加湿水内に、その下端部が浸漬される略環状の加湿体とを備え、前記加湿体を天板から下側に略垂直に設けた複数の支持棒の外側に係留して形状を固定するものであり、前記支持棒に前記加湿体の位置を安定させる加湿機であって、前記支持棒は、前記天板と平行方向の断面積を前記天板近傍から離れるに従い大きくした加湿機。
【請求項２】
請求項１記載の加湿機の前記加湿風路に空気浄化フィルタを備えたことを特徴とした加湿機能付空気清浄機。
【発明の詳細な説明】
【技術分野】
【０００１】
本発明は、室内空気の加湿を行う加湿機及び加湿機能付空気清浄機に関するものである。
【背景技術】
【０００２】
従来、この種の加湿機は、以下のような構成となっていた。
【０００３】
すなわち、吸気口と排気口を有する本体ケースと、この本体ケース内の加湿風路に設けた送風機と、前記加湿風路に設けた加湿容器と、この加湿容器内の加湿水内に、その下端部が浸漬された網目状の加湿体とを備えた構成となっていた（例えば、これに類似する先行文献として下記特許文献１が存在する）。
【０００４】
以下、前記加湿体の配置手段について、図１１を参照しながら説明する。図１１に示すように、加湿体１０１は弾性変形する保持枠１０２により保持され、加湿体１０１と前記本体ケースとの間には、加湿体１０１と前記本体ケースの間の隙間を最小に保つための天板１０３が保持枠１０２と接合部１０４で接合された構成となっている。
【先行技術文献】
【特許文献】
【０００５】
【特許文献１】実開昭５３−１３０８６４号公報
【発明の概要】
【発明が解決しようとする課題】
【０００６】
上記従来例における課題は、加湿体と、加湿体の形状を固定するための枠体との係留において、その係留位置が安定しないということであった。すなわち、従来例においては、加湿水を加湿体で吸い上げると共に、この加湿体の網目に送風機からの送風を通過させ、この送風に湿気を搬送させることで加湿空気を得るようにしていた。このような構成において、加湿体の下部は加湿水を吸い上げる必要があるために、加湿容器内に収まっている必要があり、また、加湿体の上部は、加湿対象空気の素通りを防ぐために、一定位置まで覆っておく必要がある。
【０００７】
しかしながら、従来例においては、枠体を変形させて加湿体を挿入するため、枠体が緩み、加湿体の上部下部ともに係留位置を安定させることが難しく、下部が加湿容器から外れれば、加湿体に十分な量の水が供給されず加湿効果が低下し、また、上部が一定位置まで覆っていなければ、加湿対象空気が水分と接触することなく素通りし、加湿効果が低下する。
【０００８】
そこで、本発明は、加湿体１０１の位置の安定による加湿効果の向上を目的とするものである。
【課題を解決するための手段】
【０００９】
そして、この目的を達成するために、本発明は、吸気口と排気口を有する本体ケースと、吸気口と排気口を連通する加湿風路と、前記本体ケース内の前記加湿風路に設けた送風機と、前記加湿風路に設けた加湿容器と、この加湿容器内に注入される加湿水内に、その下端部が浸漬される略環状の加湿体とを備え、前記加湿体を天板から下側に略垂直に設けた複数の支持棒の外側に係留して形状を固定するものであり、前記支持棒に前記加湿体の位置を安定させる加湿機であって、前記支持棒は、前記天板と平行方向の断面積を前記天板近傍から離れるに従い大きくしたものであり、これにより初期の目的を達成するものである。
【発明の効果】
【００１０】
以上のように本発明は、吸気口と排気口を有する本体ケースと、吸気口と排気口を連通する加湿風路と、前記本体ケース内の前記加湿風路に設けた送風機と、前記加湿風路に設けた加湿容器と、この加湿容器内に注入される加湿水内に、その下端部が浸漬される略環状の加湿体とを備え、前記加湿体を天板から下側に略垂直に設けた複数の支持棒の外側に係留して形状を固定するものであり、前記支持棒に前記加湿体の位置を安定させる加湿機であって、前記支持棒は、前記天板と平行方向の断面積を前記天板近傍から離れるに従い大きくした加湿機であり、加湿体の位置の安定による加湿効果を向上させることができる。
【００１１】
すなわち、本発明において、加湿体と枠体との係留において、その係留位置を安定させることにより、加湿体の下部が安定的に加湿容器内に収まり、加湿体に十分な量の水が供給され、また、加湿体の上部が一定位置まで覆い、通過する加湿対象空気が十分に水分と接触することができ、その結果、加湿効果を向上することができるものである。
【００１２】
また、加湿体を取り外す際には加湿体を支持棒から引き剥がすだけでよく、取り付けも加湿体を引き伸ばしながら支持棒に取り付けるだけで特に枠などを分解する必要がないので、メンテナンス性を向上することができるという効果も得ることができる。
【図面の簡単な説明】
【００１３】
【図１】本発明の一実施形態の加湿機能付空気清浄機の使用状態を示した斜視図
【図２】同加湿機能付空気清浄機の分解斜視図
【図３】同加湿機能付空気清浄機の加湿運転時の断面図
【図４】同加湿機能付空気清浄機の加湿手段の分解斜視図
【図５】同加湿機能付空気清浄機の加湿手段の断面斜視図
【図６】本発明の実施の形態１の加湿機を示す概略断面図
【図７】同実施の形態１の加湿体を示す概略斜視図
【図８】同実施の形態１の枠体を示す概略断面図
【図９】同実施の形態２の加湿機を示す概略断面図
【図１０】同実施の形態２の加湿体を示す概略斜視図
【図１１】従来例の加湿手段を示す概略図
【発明を実施するための形態】
【００１４】
以下、本発明の一実施形態を、添付図面を用いて説明する。
【００１５】
（実施の形態１）
図１において、加湿機能付空気清浄機１は、室内２の床３上に設置されるようになっている。
【００１６】
加湿機能付空気清浄機１は、図２、図３に示すように、前面側の吸気口４と、上面側の排気口５を有する箱型の本体ケース６を有する。
【００１７】
また、前記本体ケース６内の上下方向の中央部分には送風機７が設けられ、この送風機７の吸込側と前記本体ケース６の吸気口４の間には、吸気口４側から送風機７に向けて空気浄化フィルタである集塵フィルタ８と、脱臭フィルタ９が設置されている。加湿機能付空気清浄機１から空気浄化フィルタである集塵フィルタ８と、脱臭フィルタ９を省けば加湿機として使用できる。
【００１８】
一方、前記本体ケース６内の下方（送風機７の下方）には加湿手段１０が設けられている。
【００１９】
加湿水１１が収納された上面が開口した加湿容器１２の、この加湿容器１２内の前記加湿水１１内に、加湿手段１０は、その下端が浸漬された立体編み物である加湿体１３と、加湿体１３を保持する保持枠１８で構成される。本実施の形態において、係留位置安定手段としての天板１９と複数の支持棒２０を保持枠１８と呼称する。加湿容器１２内への水の補給は給水タンク１４により行われる。
【００２０】
送風機７はターボファンにて構成され、しかもその外周に送風ガイドを設けていないので、その全周方向が空気の吹出す方向となっている。
【００２１】
このような送風機７の吹出側から本体ケース６の排気口５の間には、この送風機７の吹出側から加湿手段１０を介して本体ケース６の排気口５を結ぶ加湿風路１５が形成されている。
【００２２】
なお、加湿風路１５の加湿体１３より下流の部分は、本体ケース６内の背面側に配置し、本体ケース６の排気口５は、この本体ケース６の上面側に開口させているので、本体ケース６の左右方向の薄型化が図れる。
【００２３】
上記構成において、図３に示しているように、送風機（ターボファン）７を駆動すると、本体ケース６の吸気口４から吸込まれた空気は、集塵フィルタ８、脱臭フィルタ９の順に通過し、通過する際に、集塵フィルタ８においては、埃、アレルゲン等が濾し取られ、脱臭フィルタ９においては、脱臭フィルタ９内に充填された活性炭が臭気成分を吸着して、空気を浄化する。
【００２４】
そして、このように浄化された空気は次に送風機（ターボファン）７吸込側から吸込まれ、次にその全周の吹出側から吹き出され、その後、加湿手段１０を経由する加湿風路１５を通って、排気口５から室内２に吹き出される。ここで、送風機（ターボファン）７の吹出側から吹き出された空気は、加湿手段１０である加湿体１３を通過する。
【００２５】
そして、加湿体１３を通過する際に、この空気によって、加湿体１３に含まれる加湿水１１が気化し、加湿体１３を通過する空気が加湿される。
【００２６】
このように、浄化、加湿された空気が、排気口５から室内２に送風される。
【００２７】
本実施形態における特徴は、図４、５に示すように、加湿風路１５に設けた加湿容器１２内の加湿水１１内に、その下端部が浸漬された柔軟性のある網目状の加湿体１３と、加湿体１３を引き伸ばした状態で固定する保持枠１８を備え、保持枠１８が天板１９と天板１９から下側に略垂直に設けられた複数の支持棒２０からなることを特徴とした点である。
【００２８】
具体的には、加湿体１３は、略環形状で、支持棒２０の外方に装着し、これら複数の支持棒２０に装着された状態で、天板１９と平行な平面上で、加湿体１３の支持棒２０に内接する部分の内周面積が、加湿体１３の下部は上部に比べ大きくなる構成である。つまり、図４に示すように、略環形状の加湿体１３を保持枠１８の天板１９から下側に略垂直に設けられた２本の支持棒２０の外方に、加湿体１３を左右方向に広げながら装着し、加湿体１３の下部は上部に比べ左右方向により広げられ装着されるもので、加湿体１３の下部は上部に比べ長くなるものである。結果として、加湿体１３の下部の網目１６は、上部の網目１７よりも左右方向に広げられ、網目の大きさも大きくなるものである。
【００２９】
ここでは一例として支持棒２０が２本の場合を挙げたが、支持棒２０の本数を変更することで加湿体１３の形状を任意に変更することが可能である。
【００３０】
例えば、支持棒２０が３本であれば加湿体１３を加湿体１３の内側部分が中空となる三角形の形状にすることができ、４本であれば加湿体１３を加湿体１３の内側部分が中空となる四角形の形状にすることができる。このように三角形や四角形の形状では加湿体１３の内側部分の中空部分を大きくすることが可能であるため、例えば加湿体１３の中空部分に送風し、加湿体１３の全周から空気を通過させる、あるいはその逆といった風路構成を用いることができ、加湿機、及び加湿機能付空気清浄機１の設計自由度を向上できる。
【００３１】
このような構成によれば、加湿体１３は複数の支持棒２０により引き伸ばした状態で固定されるため、加湿体１３を取り外す際には加湿体１３を支持棒２０から引き剥がすだけでよく、取り付けも加湿体１３を引き伸ばしながら支持棒２０に取り付けるだけなので特に保持枠１８を分解する必要がないので、メンテナンスが容易である。また、加湿体１３は湿潤と乾燥を繰り返す中で徐々に縮むものであるが、支持棒２０により広げられた状態で固定されているため縮みを防止することができ、長期間安定した形状を維持でき、長期間にわたって安定した加湿性能を得ることができる。
【００３２】
また、加湿体１３は上部から下部に向かうにつれて徐々に左右方向により広がるよう装着されるものであるため、天板１９を持って加湿容器１２に加湿手段１０を装着する際に加湿体１３が支持棒２０からすべり落ちるのを防止することができる。また、この加湿体１３の下部の網目１６は上部の網目１７よりも大きいので、加湿体１３の上部より加湿体１３の下部の方が送風抵抗は小さくなる。
【００３３】
ここで、加湿体１３の下端部が、加湿容器１２内の加湿水１１内に浸漬されており、加湿体１３の含水量は、加湿体１３の下部の方が上部より多くなる。
【００３４】
また、支持棒２０の天板１９と平行方向の断面積が、天板１９近傍から離れるに従い大きくなる構成となっており、略環形状の加湿体１３を支持棒２０の天板１９と平行方向の断面積が、天板１９近傍から離れるに従い大きくなる支持棒２０の外方に装着すると、加湿体１３は上部から下部に向かうにつれて徐々に左右方向により広がるよう装着されるものである。結果として、天板１９を持って加湿容器１２に加湿手段１０を装着する際に加湿体１３が支持棒２０からすべり落ちるのを防止することができる。
【００３５】
また、加湿体１３の網目の大きさも上部の網目１７から下部の網目１６に向かうにつれて徐々に大きくなり、加湿体１３の含水量も加湿体１３は上部から下部に向かうにつれて徐々に多くなるので、加湿体１３の上部から加湿体１３の下部に向かうにつれて送風抵抗は小さくなる。ここで、加湿体１３の下端部が、加湿容器１２内の加湿水１１内に浸漬されており、加湿体１３の含水量は、加湿体１３の下部の方が上部より多くなり、含水量の多い加湿体１３の下部の方が、含水量の少ない加湿体１３の上部より送風抵抗が大きくなる。よって、網目の大きさによる加湿体１３の下部に向かうにつれての送風抵抗の低下と、含水量による加湿体１３の下部に向かうにつれての送風抵抗の増大により、加湿体１３全体の送風抵抗が均一化できるため、加湿体１３全体からバランス良く加湿することができ、加湿効果を向上することができる。
【００３６】
また、天板１９とで加湿体１３の少なくとも一部を挟み込むように底板２１を支持棒２０の先端に天板１９と平行に設けた構成としたものである。これにより、天板１９を持って加湿容器１２に加湿手段１０を装着する際に加湿体１３が支持棒２０からすべり落ちるのを防止することができる。また、加湿体１３の少なくとも一部を天板１９と底板２１で挟み込むようにすることで、加湿体１３を規定の位置に常に正しく固定することができる。つまり、加湿体１３は天板１９と底板２１にともに接触する形で固定されるため、加湿体１３が天板１９から離れた状態で設置されることがない。ここで、加湿体１３の上下方向の長さは、保持枠１８に取り付ける前は支持棒２０の長さより長いことが望ましい。
【００３７】
このため、加湿体１３と天板１９との間の隙間が生じないため、送風機７から送られてくる風を効率よく加湿体１３に通すことができ、高い加湿効率が得られる。
【００３８】
また、底板２１が加湿容器１２に固定されるように、加湿容器１２にリブ２２を設けた構成としたものである。これにより、加湿容器１２のリブ２２を設けた場所に底板２１を合わせて置くだけで加湿手段１０を加湿容器１２に固定できるため、加湿手段１０の設置が容易である。また、取り外しの際にも天板１９を持って加湿容器１２から引きぬくだけであり、女性や子供でも容易に行うことができる。
【００３９】
また、底板２１が加湿容器１２に固定されるように、加湿容器１２に底板と同じ大きさの凹部２３を設けた構成としたものである。これにより、加湿容器１２の凹部２３を設けた場所に底板２１を合わせて置くだけで加湿手段１０を加湿容器１２に固定できるため、加湿手段１０の設置が容易である。また、取り外しの際にも天板１９を持って加湿容器１２から引きぬくだけであり、女性や子供でも容易に行うことができる。
【００４０】
また、天板１９の外周に、加湿体１３の一部を囲うように側壁２４を設けた構成としたものである。これにより、加湿体１３を保持枠１８に取り付ける際に、加湿体１３を支持棒２０と側壁２４の間に入れることで加湿体１３の形状が安定するため、加湿手段１０を加湿容器１２に設置しやすくなる。また、加湿体１３と天板１９の間を流れようとする空気に対し側壁２４が障害となるため、加湿体１３と天板１９の間に流れる空気を減らすことができ、その結果、加湿体１３を通過する空気が増えるため加湿効率を向上することができる。
【００４１】
また、加湿体１３の網目形状は、加湿体１３を加湿容器１２に設置した時に垂直方向に２辺が延びた六角形で構成したものである。具体的には、加湿体１３は、垂直方向に２辺が延びた六角形の網目が隙間なく並んだものである。略環形状の加湿体１３を支持棒２０の外方に装着し、加湿体１３の下部から上部までを左右方向へ広げると、加湿体１３が伸縮性の無い糸で形成していても、六角形の網目の垂直方向に延びた２辺の間隔が広がりことにより、網目の開口面積が大きくなるものである。六角形の網目の垂直方向に延びた２辺の間隔が広がることにより加湿体１３は大きく変形できるため、保持枠１８に加湿体１３を取り付ける際に容易に加湿体１３を広げることができ、保持枠１８への加湿体１３の装着が行いやすい。
【００４２】
また、加湿体１３の下部は上部に比べ左右方向により広げられ装着されるので、結果として、加湿体１３の下部の網目１６は、上部の網目１７よりも左右方向に広げられ、網目の大きさも大きくなり、含水量の多い加湿体１３の下部の方が、上部より通過風量が大きくなるので、加湿効果を向上することができるものである。ここでは一例として六角形を挙げたが、同様の効果が得られる形状であればよく、例えば他にひし形などが考えられる。
【００４３】
また、加湿体１３の網目形状は、縦長六角形で構成したものである。具体的には、六角形の垂直方向に延びた２辺が、他の辺より長いものである。これにより、六角形の網目の垂直方向に延びた２辺の間隔が広がることにより加湿体１３は大きく変形できるため、保持枠１８に加湿体１３と取り付ける際に容易に加湿体１３を広げることができ、保持枠１８への加湿体１３の装着が行いやすい。また、略環形状の加湿体１３を支持棒２０の外方に装着し、加湿体１３の下部から上部までを左右方向へ広げると、他の辺より長い六角形の垂直方向に延びた２辺の間隔が広がり網目の開口が大きくなるものである。これにより、加湿体１３の下部の網目１６の方が、上部の網目１７より、より大きくなり、含水量の多い加湿体１３の下部の方が上部より、より通過風量が大きくなるので、加湿効果を向上することができるものである。
【００４４】
また、加湿体１３は、立体編み物としたものである。立体編み物であれば、繊維同士が編まれて構成されているため、引っ張りに対して変形しやすく加湿体１３は大きく変形できるため、保持枠１８に加湿体１３と取り付ける際に容易に加湿体１３を広げることができ、保持枠１８への加湿体１３の装着が行いやすい。また、立体編み物であれば、引っ張りや圧縮といった作業後には元の形状に戻る性質があるため、押し洗いを行うことができ、押し洗いを行うことで繊維上に固着した水中のスケール成分を剥離除去できるため、加湿体１３の洗浄に薬品などを使う必要がなくメンテナンスできるため取り扱いが容易である。立体編み物の材質としてはポリエステルなど加水分解しにくいものが望ましい。
【００４５】
（実施の形態２）
図６において、加湿機は、吸気口４と排気口５を有する本体ケース６と、この本体ケース６内の加湿風路に設けた送風機７と、前記加湿風路に設けた加湿容器１２と、この加湿容器１２内に注入される加湿水１１内に、一部が浸水する加湿体１３とを備えるものである。加湿対象空気は、吸気口４から装置内に導入され、加湿体１３を通過して水分を含んだ後、送風機７に吸い込まれて、排気口５から加湿空気として排出される。また、図６には、加湿容器１２に水を供給するための給水タンク１４も示す。
【００４６】
図７に示すように、加湿体１３は、ベルト状であり、２本の支持棒２０に係留して形状を固定するものである。前記加湿体１３の２つの開口部には、係留位置安定手段としての伸縮部２５を設けてなる。
【００４７】
また、前記支持棒２０には、前記加湿体１３との接触部に、係留位置安定手段として支持棒２０の両端の一部を切り欠いた、切り欠き２６を備えてなる。
【００４８】
加湿体１３としては、たとえば立体編み物など、それ自身に伸縮性を有するものを基材とすれば、開口部だけでなく、全体に伸縮性を付与でき、支持棒２０への係留動作が容易になるという利点がある。この場合、編地のウェール方向が筒の幅方向、コース方向が筒の周方向になるように設計すれば、より高い伸縮性を得ることができ、支持棒２０への係留動作がより容易になる。
【００４９】
また、不織布など、それ自身に伸縮性のない素材を加湿体１３の基材とする場合には、開口部に、たとえば糸ゴムのように伸縮性を有する素材を接合することによって開口部に伸縮部２５を設けることができる。
【００５０】
支持棒２０に備える係留位置安定手段としては、切り欠き２６に加湿体１３を引掛ける手段の他、実施の形態３に後述するような、凸形状の突起に加湿体１３の差込孔を嵌合する手段、図８に示すような、支持棒２０の表面に引掛部として連続した凹凸形状を設け、加湿体１３との間に高い摩擦を生じさせて滑動を防ぐ手段、といったものが挙げられる。
【００５１】
支持棒２０を、樹脂や金属などの素材で構成すれば、係留位置安定手段を一体成形などの容易な方法で付与することができる。支持棒２０は、加湿容器１２と一体化されていても良いし、着脱自在の枠体としても良い。また、支持棒２０の間隔を保つために、支持棒間にスペーサ２７を設置しても良い。支持棒２０が着脱自在であれば、ユーザが加湿容器１２内の狭い空間に手を入れる必要がなく、加湿体１３の着脱作業が容易になる。また、加湿容器１２の内部を清掃することが容易となる。
【００５２】
２本の支持棒２０間の距離は、ベルト状の加湿体１３の周方向の長さの略１／２であり、２本の支持棒２０によって張力を受けた加湿体１３は、ほぼ２枚の平板状となるため、空気は、平板表面にほぼ垂直に導入されることになる。
【００５３】
加湿体１３が平板状になれば、加湿体１３の上部および側部が加湿容器１２の一定位置まで覆うことが容易になり、通過する加湿対象空気が十分に水分と接触することができ、その結果、加湿効果を向上することができる。２本の支持棒２０間の距離が、加湿体１３の周方向の長さの略１／２より長く、加湿体１３が２本の支持棒２０によって張力を受けない場合でも、本発明においては、加湿体１３の位置を安定させる、前述した切り欠き等の係留位置安定手段を備えるため、加湿体１３の位置は安定し、本来の性能を発揮することができるが、張力を受けてほぼ平板状になるようにしたほうが、加湿体１３の体積を最小にしながら同等の加湿性能を得ることができるという利点がある。
【００５４】
（実施の形態３）
図９において、加湿機は、吸気口４と排気口５を有する本体ケース６と、この本体ケース６内の加湿風路に設けた送風機７と、前記加湿風路に設けた加湿容器１２と、この加湿容器１２内に注入される加湿水１１内に、一部が浸水する加湿体１３とを備えるものである。
【００５５】
加湿対象空気は、吸気口４から装置内に導入され、加湿体１３を通過して水分を含んだ後、送風機７に吸い込まれて、排気口５から加湿空気として排出される。また、図９には、加湿容器１２に水を供給するための給水タンク１４も示す。
【００５６】
図１０に示すように、加湿体１３は、筒状であり、４本の支持棒２０に係留して位置を安定させるものである。４本の支持棒２０は、等間隔に円形を描くように配置されている。前記加湿体１３の２つの開口部には、係留位置安定手段としての差込孔２８を設けてなる。
【００５７】
また、前記支持棒２０には、前記加湿体１３との接触部に、係留位置安定手段としての凸形状の突起２９を備えてなる。加湿体１３を支持棒２０に係留したとき、筒状の加湿体１３は支持棒２０によって張力を受けることにより、支持棒２０に沿って中空部を作りながら広がって正方形に近い形状となる。
【００５８】
支持棒２０に備える係留位置安定手段としては、凸形状の突起２９に加湿体１３の差込孔２８を嵌合する手段の他、実施の形態２に前述したような、切り欠きに加湿体１３を引っ掛ける手段、図１０に示すような、支持棒２０の表面に引掛部として連続した凹凸形状を設けて加湿体１３との間に高い摩擦を生じさせて滑動を防ぐ手段、といったものが挙げられる。
【００５９】
４本の支持棒２０によって形成される四角柱の外周の長さが、加湿体の周方向の長さに略同じであれば、筒状の加湿体１３は、４本の支持棒２０によって張力を受け、形状が固定される。４本の支持棒２０によって張力を受けた加湿体１３には、支持棒２０に沿って中空部が作られる。
【００６０】
加湿対象空気は、加湿体１３に導入された後、ほぼ直角に方向を変えて送風機７に吸い込まれる。このとき、加湿体１３には、周方向全体に空気が均一に導入されるため、面風速が低下し、通過する加湿対象空気が十分に水分と接触することができ、その結果、加湿効果を向上することができる。なお、３本以上の支持棒２０は、必ずしも等間隔に配置する必要はない。
【産業上の利用可能性】
【００６１】
以上のように本発明は、吸気口と排気口を有する本体ケースと、吸気口と排気口を連通する加湿風路と、前記本体ケース内の前記加湿風路に設けた送風機と、前記加湿風路に設けた加湿容器と、この加湿容器内に注入される加湿水内に、その下端部が浸漬される加湿体とを備え、前記加湿体を複数の支持棒に係留して形状を固定するものであり、前記加湿体および／または前記支持棒に前記加湿体の位置を安定させる係留位置安定手段を備えたものであり、加湿体と枠体との係留において、その係留位置を安定させることにより、加湿体の下部が安定的に加湿容器内に収まり、加湿体に十分な量の水が供給され、また、加湿体の上部が一定位置まで覆い、通過する加湿対象空気が十分に水分と接触することができ、その結果、加湿効果を向上することができる。
【００６２】
したがって、加湿機及び加湿機能付空気清浄機として極めて有用なものとなる。
【符号の説明】
【００６３】
１      加湿機能付空気清浄機
２      室内
３      床
４      吸気口
５      排気口
６      本体ケース
７      送風機
８      集塵フィルタ
９      脱臭フィルタ
１０    加湿手段
１１    加湿水
１２    加湿容器
１３    加湿体
１４    給水タンク
１５    加湿風路
１６    下部の網目
１７    上部の網目
１８    保持枠
１９    天板
２０    支持棒
２１    底板
２２    リブ
２３    凹部
２４    側壁
２５    伸縮部
２６    切り欠き
２７    スペーサ
２８    差込孔
２９    突起
１０１  加湿体
１０２  保持枠
１０３  天板
１０４  接合部
【図１】
0005879507.tif 000002
【図２】
0005879507.tif 000003
【図３】
0005879507.tif 000004
【図４】
0005879507.tif 000005
【図５】
0005879507.tif 000006
【図６】
0005879507.tif 000007
【図７】
0005879507.tif 000008
【図８】
0005879507.tif 000009
【図９】
0005879507.tif 000010
【図１０】
0005879507.tif 000011
【図１１】
0005879507.tif 000012